【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
コンピューターであって、
少なくとも１つのハードウェア・プロセッサーと、
命令が格納された少なくとも１つのコンピューター読み取り可能ハードウェア記憶媒体であって、前記命令が、前記少なくとも１つのハードウェア・プロセッサーによって実行されると、該少なくとも１つのハードウェア・プロセッサーに、
第１アプリケーションが前記コンピューター上で実行している間に、コンピューター・ネットワークを通じてユニバーサル・リソース識別子（ＵＲＩ）を受信させ、前記ＵＲＩが、
ＵＲＩ方式と、
前記コンピューターにインストールされている第２アプリケーションであって、前記ＵＲＩを受信するとき、現在起動していない第２アプリケーションと、
前記第１アプリケーションおよび前記第２アプリケーションによって使用可能な共有コンテキストを定義する少なくとも２つの異なるアプリケーション・パラメーターと
を指定し、
前記ＵＲＩがユーザーによって選択されたことを検出させ、前記第１アプリケーションにおいて表示されたユーザー・インターフェースを介して前記ユーザーが前記ＵＲＩを選択しており、
前記第１アプリケーションにおいて前記表示されたユーザー・インターフェースを介して前記ユーザーによって前記ＵＲＩが選択されたことの検出に応じて、前記ＵＲＩによって指定される前記第２アプリケーションを開始させ、
前記第１アプリケーションを用いて、前記共有コンテキストへの変更がデータ損失を生じないことを確実にするよう検査をさせ、
前記共有コンテキストへの変更がデータ損失を生じないことを前記第１アプリケーションが確認した場合に、前記第１アプリケーションおよび前記第２アプリケーションに、前記少なくとも２つの異なるアプリケーション・パラメーターによって定義される前記共有コンテキストを用いて実行させる、コンピューター読み取り可能ハードウェア記憶媒体と
を備えるコンピューター。
【請求項２】
請求項１記載のコンピューターにおいて、前記命令が更に、前記少なくとも１つのハードウェア・プロセッサーに、前記第２アプリケーションを開始する前に、前記第２アプリケーションの開始が前記コンピューター上で許可されているかを判断させる、コンピューター。
【請求項３】
請求項２記載のコンピューターにおいて、前記命令が更に、前記少なくとも１つのハードウェア・プロセッサーに、前記第２アプリケーションの開始が前記コンピューターについて規定された許可済みアクションのリスト上にあることを検証させる、コンピューター。
【請求項４】
請求項１記載のコンピューターにおいて、前記命令が更に、前記少なくとも１つのハードウェア・プロセッサーに、前記ＵＲＩによって指定される前記第２アプリケーションの開始の前に、前記ＵＲＩのソースの信頼性を評価させる、コンピューター。
【請求項５】
請求項１記載のコンピューターにおいて、前記命令が更に、前記少なくとも１つのハードウェア・プロセッサーに、前記ＵＲＩによって指定される前記第２アプリケーションの開始の前に、前記ＵＲＩの署名を評価させる、コンピューター。
【請求項６】
前記ＵＲＩが別のコンピューター上のリモート・アプリケーションから受信される、請求項１記載のコンピューター。
【請求項７】
前記少なくとも２つの異なるアプリケーション・パラメーターが前記ＵＲＩ方式の後の前記ＵＲＩのクエリ部に含まれる、請求項１記載のコンピューター。
【請求項８】
前記第２アプリケーションを指定する識別子が前記ＵＲＩ内でコロン記号の後、前記ＵＲＩの前記クエリ部の前に現れる、請求項７記載のコンピューター。
【請求項９】
請求項１記載のコンピューターにおいて、前記命令が更に、前記少なくとも１つのハードウェア・プロセッサーに、前記共有コンテキストへの変更がデータ損失を生じることになるのを前記第１アプリケーションが示すときに、前記共有コンテキストへの変更が、データ損失なく実行できることを前記第１アプリケーションが示すまで、前記共有コンテキストへの変更を前記遅延させる、コンピューター。
【請求項１０】
コンピューターであって、
当該コンピューターにインストールされる、第１アプリケーションおよび第２アプリケーションを含む１組のアプリケーションと、
少なくとも１つのハードウェア・プロセッサーであって、コンピューター読み取り可能命令により、
コンテキスト定義ＵＲＩのＵＲＩ方式と、
前記第１アプリケーションと、
前記第２アプリケーションと、
前記第１アプリケーションおよび前記第２アプリケーションについての共有コンテキストであって、前記コンテキスト定義ＵＲＩが受信されるときに、前記第１アプリケーションが起動しており、前記第２アプリケーションが起動していない、共有コンテキストと
を指定する前記コンテキスト定義ＵＲＩを受信し、
前記第１アプリケーションを用いて、前記共有コンテキストへの変更がデータ損失を生じないことを確実にするよう検査し、
前記共有コンテキストへの変更がデータ損失を生じないことの前記第１アプリケーションからの確認に応じて、前記第１アプリケーションおよび前記第２アプリケーションに、前記コンテキスト定義ＵＲＩによって指定される前記共有コンテキストを使用させる
ように構成される少なくとも１つのハードウェア・プロセッサーと
を備えるコンピューター。
【請求項１１】
請求項１０記載のコンピューターにおいて、前記ハードウェア・プロセッサーが更に、前記コンピュータ読み取り可能命令により、
前記コンテキスト定義ＵＲＩを電子メール・メッセージで受信し、
当該コンピューターのディスプレイ上に前記電子メール・メッセージを表示し、
前記表示された電子メール・メッセージにおいて、前記コンテキスト定義ＵＲＩのユーザー選択を受け、
前記コンテキスト定義ＵＲＩの前記ユーザー選択に応じて、前記第２アプリケーションを開始するように構成される、コンピューター。
【請求項１２】
前記コンテキスト定義ＵＲＩが、特定の人物の少なくとも２つの異なる識別子を用いて、前記共有コンテキストを指定する、請求項１０記載のコンピューター。
【請求項１３】
請求項１２記載のコンピューターにおいて、前記ＵＲＩの第１フィールドが前記第１アプリケーションに対して前記特定の人物を識別し、前記ＵＲＩの第２フィールドが前記第２アプリケーションに対して前記特定の人物を識別する、コンピューター。
【請求項１４】
請求項１０記載のコンピューターであって、更に、前記１組のアプリケーションの一部ではなく、また、前記コンテキスト定義ＵＲＩを生成するように構成される別のアプリケーションを含む、コンピューター。
【請求項１５】
コンピューターの少なくとも１つのハードウェア・プロセッサーによって実行される方法であって、
第１アプリケーションが前記コンピューター上で実行している間に、ユニバーサル・リソース識別子（ＵＲＩ）を受信するステップであって、前記ＵＲＩが、
ＵＲＩ方式と、
前記コンピューターにインストールされている第２アプリケーションであって、前記ＵＲＩを受信するとき、現在起動していない、第２アプリケーションと、
前記第１アプリケーションおよび前記第２アプリケーションについての共有コンテキストの少なくとも２つの異なるアプリケーション・パラメーターと
を指定する、ステップと、
前記ＵＲＩが選択されたことを検出するステップと、
前記ＵＲＩが選択されたことの検出に応じて、前記ＵＲＩによって指定される前記第２アプリケーションを開始するステップと、
前記第１アプリケーションを用いて、前記共有コンテキストへの変更がデータ損失を生じることになるかを決定するよう検査するステップと、
前記共有コンテキストへの変更がデータ損失を生じないことの前記第１アプリケーションからの確認を受けるステップと、
前記第１アプリケーションから受けた前記確認に応じて、前記第１アプリケーションおよび前記第２アプリケーションの両方に、前記共有コンテキストを用いて実行させるステップと
を含む、方法。
【請求項１６】
請求項１５記載の方法であって、更に、
前記コンピューター上の隔離されたセキュリティ環境でコンテキスト・プロトコル・ハンドラーを実行するステップと、
前記ＵＲＩを受信すると、前記隔離されたセキュリティ環境で実行している前記コンテキスト・プロトコル・ハンドラーを用いて前記ＵＲＩを処理するステップと、
前記隔離されたセキュリティ環境で実行している前記コンテキスト・プロトコル・ハンドラーによって前記ＵＲＩが処理された後に、前記第２アプリケーションの開始をトリガーするステップと
を含む、方法。
【請求項１７】
請求項１５記載の方法であって、更に、
前記受信したＵＲＩをグラフィカル・ウェブ・ブラウザーの保護モードで処理するステップと、
前記ＵＲＩが前記グラフィカル・ウェブ・ブラウザーの保護モードで処理された後に、前記第２アプリケーションの開始をトリガーするステップと
を含む、方法。
【請求項１８】
請求項１５記載の方法において、前記第１アプリケーションがウェブ・ベース電子記録マネージャーであり、前記第２アプリケーションが画像ビューアである、方法。
【請求項１９】
請求項１８記載の方法において、
前記ＵＲＩによって定義される前記共有コンテキストが人物であり、
前記ウェブ・ベース電子記録マネージャーが、前記ＵＲＩの前記共有コンテキストによって識別される前記人物についての電子記録を提供し、
前記イメージ・ビューアは、前記ＵＲＩの前記共有コンテキストによって識別される前記人物に関連づけられるイメージを提供する、方法。
【請求項２０】
請求項１５記載の方法であって、更に、
前記ＵＲＩを受信したのに応じて、前記共有コンテキストへの変更が、現在のコンテキストに損失させないように、前記第１アプリケーションに前記現在のコンテキストを保存させるステップを含む、方法。